(57)【特許請求の範囲】
【請求項１】
複数の発光要素及び前記複数の発光要素を制御する制御システムを有する光源であって、前記制御システムが、
−前記発光要素のうちの対応するものへそれぞれ接続され、発光要素データを得るように構成される複数の発光要素制御器と、
−光源バスを介して前記発光要素制御器へ接続されるバスインターフェイスと、
を有し、
前記バスインターフェイスが、前記発光要素制御器に前記発光要素の発光設定に関する一般コマンドを供給するように構成され、前記発光要素制御器が、前記一般コマンド及び前記発光要素データに基づき発光要素駆動信号を生成するように構成され、
前記発光要素制御器は、シンボルタグインタプリタをそれぞれ有し、前記発光要素制御器は、更に、複数のシンボルタグを記憶するように用意された複数の記憶位置を有する記憶装置であって、少なくとも１つのシンボルタグを記憶する記憶装置、をそれぞれ有し、
前記一般コマンドは、いくつかの異なる種類が存在するシンボルタグのうちの少なくとも１つのシンボルタグを含む、前記シンボルタグとは別個のものであって、
前記シンボルタグインタプリタはシンボルタグ比較器を有し、前記シンボルタグ比較器は、前記一般コマンドにおいて受信されたシンボルタグを、前記発光要素制御器がタグ付けされる前記いくつかの異なる種類が存在するシンボルタグのうちの少なくとも１つのシンボルタグと比較するように構成され、前記シンボルタグインタプリタは、前記シンボルタグ比較器がシンボルタグの一致を発見する場合に、前記一般コマンドを受け入れるように構成される、光源。
【請求項２】
請求項１に記載の光源であって、前記光源バスが同報送信モードに設定されている、光源。
【請求項３】
請求項１又は２に記載の光源であって、前記発光要素が、ソリッドステート発光要素である、光源。
【請求項４】
請求項１乃至３のいずれか一項に記載の光源であって、前記発光要素制御器が、オン及びオフ状態の間で個別に切り替え可能である、光源。
【請求項５】
請求項１乃至４のいずれか一項に記載の光源であって、前記一般コマンドが全体発光設定を含む、光源。
【請求項６】
請求項１乃至５のいずれか一項に記載の光源であって、前記発光要素制御器のそれぞれが、前記発光要素データを記憶する発光要素データ記憶装置を含む、光源。
【請求項７】
請求項１に記載の光源であって、前記発光要素制御器がそれぞれ、前記発光要素の内部状態が変化する場合に前記少なくとも１つのシンボルタグを再規定することが可能である状態監視器を有する、光源。
【請求項８】
請求項１乃至７のいずれか一項に記載の複数の光源と、照明器具バスを介して前記光源の前記バスインターフェイスへ接続される照明器具制御器と、を含む照明器具であって、前記照明器具制御器が、前記バスインターフェイスへ前記一般コマンドを供給するように構成される、照明器具。
【請求項９】
請求項８に記載の照明器具であって、前記照明器具制御器が、前記光源を用いて生成されるべき所望な体験に関する体験コマンドを受け取り、そして、前記体験を少なくとも１つの一般コマンドとして実施化される、前記光源の設定に関する少なくとも１つの効果へ翻訳する効果翻訳器を含む、照明器具。
【請求項１０】
請求項８又は９に記載の照明器具であって、前記照明器具バスが同報送信モードに設定されている、照明器具。
【請求項１１】
請求項８乃至１０のいずれか一項に記載の照明器具であって、前記照明器具制御器が、シンボルタグインタプリタを有し且つ少なくとも１つのシンボルタグでタグ付けされ、前記シンボルタグインタプリタが、少なくとも１つのシンボルタグを含む前記体験コマンドを受け取るように構成され、前記シンボルタグインタプリタがシンボルタグ比較器を有し、前記シンボルタグ比較器は、前記体験コマンドにおいて受け取られた前記少なくとも１つのシンボルタグを、前記照明器具制御器がタグ付けされる前記少なくとも１つのシンボルタグと比較するように構成され、そして前記シンボルタグ比較器がシンボルタグの一致を発見する場合に、前記シンボルタグインタプリタは、前記体験コマンドを受け入れ、前記体験コマンドを前記一般コマンドへ翻訳するように構成される、照明器具。
【請求項１２】
請求項８乃至１１のいずれか一項に記載の照明器具と、システムバスを介して前記複数の照明器具に接続され、且つ体験に関する出力データを生成するように構成されるシステム制御器と、を含む、照明器具システム。
【請求項１３】
請求項１２に記載の照明器具システムであって、前記システムバスが、アドレス指定モードに設定され、前記出力データが個別の体験コマンドであり、前記システム制御器が、個別の照明器具へ前記個別の体験コマンドを送信するように構成される、照明器具システム。
【請求項１４】
請求項１２に記載の照明器具システムであって、前記システムバスが、同報送信モードに設定されており、前記出力データが、前記複数の照明器具に対して共通である、照明器具システム。
【請求項１５】
請求項１２乃至１４に記載の照明器具システムであって、前記システム制御器がシンボルタグ生成器を含み、前記シンボルタグ生成器が、少なくとも１つのシンボルタグを生成し、且つで前記出力データにタグ付けするように構成される、照明器具システム。
【請求項１６】
請求項１１乃至１３のいずれか一項に記載の照明器具システムであって、前記システム制御器が、部屋制御器及びビルディング制御器のうちの一つである、照明器具システム。
【発明の詳細な説明】
【技術分野】
【０００１】
本発明は、複数の発光要素及び前記複数の発光要素を制御する制御システムを有する光源に関する。
【背景技術】
【０００２】
従来型の光源は、図１に概略的に示される。従来型の光源は、ＲＧＢ要素１０７すなわち、赤色光を生成する要素、緑色光を生成する要素、青色光を生成する要素などの、複数の発光要素を有する。発光要素１０７は、合成される場合に、いかなる所望な色の放射光をも提供することが可能である。制御システムが、放射光の所望な色、すなわち通常色点として規定される特性、を得るために、光源１０１において含まれる。
【０００３】
制御システムの主要部分は、光源制御器１０３であり、光源制御器１０３は、発光要素１０７の全てに関する個別の駆動信号を計算し、個別の駆動信号を個別の発光要素１０７へ供給し、具体的には駆動装置１０５へ供給する。このことは、光源制御器１０３が連続的に発光要素１０７をアドレス指定する光源バス１０９を介して行われる。制御器の電力消費は比較的高いが、その理由は、制御器が、常時オンにされている（簡単な）計算機に匹敵するからである。
【発明の概要】
【発明が解決しようとする課題】
【０００４】
本発明の目的は、制御システムが低減された電力消費を有する光源を提供することである。
【課題を解決するための手段】
【０００５】
この目的は、請求項１に記載の本発明に従う光源によって達成される。
【０００６】
本発明は、分散型の制御器のネットワークが、中央集中化された構造と比較して電力節約的であるという洞察に基づく。
【０００７】
したがって、本発明の一つの態様に従うと、複数の発光要素及び前記複数の発光要素を制御する制御システムを有する光源が提供される。前記制御システムは、
−前記発光要素のうちの対応するものへそれぞれ接続され、発光要素データを得るように構成される複数の発光要素制御器と、
−光源バスを介して前記発光要素制御器へ接続されるバスインターフェイスと、
を有し、
前記バスインターフェイスは、前記発光要素制御器に一般コマンドを供給するように構成され、前記発光要素制御器が、前記一般コマンド及び前記発光要素データに基づき発光要素駆動信号を生成するように構成される。
【０００８】
計算能力を非中央集中化させることによって、バスインターフェイスの構造は、それぞれの発光要素に関する個々の駆動信号の計算をする必要のない最も簡素なものにまで低減される。結果として、周波数要件は、かなり低減され得る。更に、それぞれの個々の発光要素制御器は、単一の発光要素だけに関する計算を実行する必要のみであり、このことも、従来技術の中央制御器と比較されてかなりの軽減である。このことは、通常、制御器の供給電圧が低下され得ることも意味する。多重化された数の制御器にもかかわらず、従来技術からの上述の変更は、全体電力消費の低減になる。「発光要素」は、通常そうであるように、単一の発光体、及び、同時にすなわち同一の駆動信号によって駆動される一群の発光体、であることを理解されることを特記されるべきである。
【０００９】
更に、光源バスにおいて送信されるデータ量は根本的に低減される。
【００１０】
請求項2に記載の光源のある実施例に従うと、光源バスは、前記光源バスが放送モードに設定されている。この実施例の有利な点は、一般コマンドが、一つの動作で全ての発光要素へ簡単に放送されることである。例えば、このことは、コマンド送信の頻度が、光源内の全てのN個の発光要素へ１つのコマンドを送信するために、N回と同じだけである必要があるような従来型の個別のアドレス指定と比較され得る。更に、従来技術の光源において、光源バスは、アドレスと複雑なデータ情報との両方を送信する一方で、本発明に従うと、光源バスインターフェイスは、単純なデータ情報のみを伝送する。
【００１１】
請求項４に記載の光源のある実施例に従うと、制御器が、個別にオフに切り替え可能である。例えば、このことは、１つ以上の色が使用されていない場合にいつでも行われ得る。このことは、電力消費をより更に低減させる。
【００１２】
請求項５に記載の光源のある実施例に従うと、全体発光設定がバスインターフェイスから発光要素制御器へ送信される。このことは、本発明に従う分散型制御器構造の一般的及び有利な使用方法である。
【００１３】
請求項６に記載の光源のある実施例に従うと、発光要素制御器のそれぞれが、発光要素データ記憶装置を含む。発光要素データは、事前記憶される、及び／又は、光源の動作時において外部ソースから受け取られ得る。
【００１４】
請求項７に記載の光源のある実施例に従うと、シンボルタグは、一般コマンドを送信する場合に、ある程度の選択を得るための簡単な手段として用いられる。しかし、何の種類のシンボルタグがコマンドにおいて含まれるかに依存して、０から発光要素の全てまでのいずれかが選択され得る。
【００１５】
請求項９に記載の光源のある実施例に従うと、発光要素制御器のそれぞれが、前記発光要素の内部状態が変化する場合に、関連付けられるシンボルタグを再規定することが可能である。
【００１６】
更に、本発明に従うと、請求項１０に記載の複数の光源を含む照明器具が提供される。照明器具に含まれる照明器具制御器が、光源のバスインターフェイスへ一般コマンドを伝達する。
【００１７】
請求項１１に記載の照明器具のある実施例に従うと、照明器具制御器が、体験データを受け取り、そして、前記体験データを少なくとも１つの効果へ翻訳する効果翻訳器を含み、前記少なくとも１つの効果は、その後、一連の１つ以上の一般コマンドとして実現される。体験データは、照明器具のユーザが、柔らかい夕方の光、夜の暗さ、明るい活動光などの、光源からの出力の結果として体験することになっている体験に関する。効果は、調光、フラッシュ、特定の色の発光などの、光源の設定に関する。
【００１８】
請求項１３に記載の照明器具のある実施例に従うと、照明器具制御器もまた、光源のバスインターフェイスにおけるシンボルタグインタプリタと同様に作動するシンボルタグインタプリタを有する。
【００１９】
更に、請求項１４に記載の照明器具システムが提供される。照明器具システムは、いくつかの照明器具と、これらの照明器具に接続されるシステム制御器と、を含む。システム制御器は、上述の体験に関する出力データを照明器具制御器へ送信する。
【００２０】
請求項１５に記載の照明器具システムのある実施例に従うと、出力データは、選択される個別の照明器具へアドレス指定される個別の体験コマンドである。このレベルにおけるアドレス指定は、あまり電力を消費せず、異なるように設定されるべき照明器具が存在する場合に、有利である。しかし、他方で、請求項１６に記載の別の実施例において、出力データは照明器具へ放送され、このことは、同一のコマンドを同時にいくつかの照明器具へ送信する効率的な手法である。
【００２１】
請求項１７に記載の照明器具システムのある実施例に従うと、システム制御器は、上述のシステムにおいて扱われるシンボルタグを生成するシンボルタグ生成器を具備される。
【００２２】
一般的に、本発明は、発光システムに関する制御器を特徴とする。コマンド受信回路は、照明コマンドメッセージを受信するように設計される。メッセージの形式は、タグ値及び命令値を含む。タグ値は、メッセージが仕向けられる発光装置の物理的属性を特定する。命令値は、メッセージが仕向けられる発光装置によって取られる動作を特定する。コマンド受信回路は、メッセージのタグ値が発光装置に対応するようなメッセージを検出するように設計されるタグ比較回路を有する。発光装置制御回路は、検出される対応するタグ値を有するメッセージの命令値を受け取り、これに応答して、発光装置の発光要素を制御する命令値を出力するように設計される。
【００２３】
一般的に、第２の態様として、本発明は、発光システムに関する制御器を特徴とする。コマンド受信回路は、発光コマンドメッセージを受け取るように設計される。メッセージの形式は、メッセージが仕向けられる照明装置によって誘導されるべき人間の感情的体験を特定する命令値を含む。発光装置制御回路は、検出される対応するタグ値を有するメッセージの命令値を受け取り、これに応答して、発光装置の発光要素を制御する特定のレベル値を出力するように設計される。
【００２４】
本発明の実施例は、１つ以上の以下の特徴を含み得る。複数の発光要素制御器が存在し得、それぞれが、発光要素の対応する１つに接続される。発光要素制御器の少なくともいくつかは、発光要素に関して記憶された較正データを含む発光要素記憶装置を含み得る。メッセージは、放送モードで発行され得る。記憶回路は、発光要素に関連する較正データを記憶するように設計され得、発光要素制御回路は、較正データに基づき発光要素駆動信号を生成するように更に設計され得る。タグによって指定される属性は、発光装置の位置、又は発光装置の能力であり得る。発光装置は、いくつかの異なる種類のタグでタグ付けされ得る。発光要素は、ソリッドステート光源、すなわちＬＥＤであり得る。発光要素は、オン及びオフ状態の間で個別に切り替えされ得る。命令は、色設定を含み得る。発光要素制御器は、発光要素の内部状態が変化する場合に、前記少なくとも１つのシンボルタグを再規定することが可能である状態監視器を含み得る。制御器は、タグ指定に加えて、アドレスを有し、コマンドは、コマンドによって制御器へ発行され得る。制御器は、照明器具制御器、部屋制御器、又はビルディング制御器であり得る。
【００２５】
本発明のこれら及び他の態様、特徴及び有利な点は、後述の実施例から明らかであり、これらを用いて説明され得る。
【００２６】
本発明は、添付の図面を参照にしてより詳細に以下に説明され得る。
【図面の簡単な説明】
【００２７】
【図１】図１は、上来技術の光源の概略図である。
【図２】図２は、本発明に従う光源のある実施例のブロック図である。
【図３】図３は、本発明に従う照明器具システムのある実施例のブロック図である。
【図４】図４は、照明器具システムの別の実施例のブロック図である。
【図５】図５は、図４の照明器具システムにおける照明器具の一部のブロック図である。
【図６】図６は、例示的なビルディング発光システムのブロック図である。
【図７】図７は、照明器具システムのブロック図である。
【図８】図８は、図７の照明器具制御器の一部のブロック図である。
【発明を実施するための形態】
【００２８】
図２を参照すると、光源２０１の実施例は、いくつかの発光要素制御器２１３へ光源バス２０９を介して接続されるバスインターフェイス（ＢＵＳ  ＩＦ）２０３を含む。制御器は、光源２０１に、例えば、色及び強度に関する、所望な特性の光を発するようにさせるように使用される。光源バスは、放送モードに設定されており、放送モードは、バスインターフェイス２０３からの出力が同時に全ての発光要素制御器２１３へ送信されることを意味する。
【００２９】
各発光要素制御器２１３は、発光要素２０７の駆動装置２０５へ接続される。３つの異なる色、すなわち赤色（Ｒ）、緑色（Ｇ）及び青色（Ｂ）のそれぞれのいくつかの発光要素２０７が存在し、そして各色の１つの発光要素２０７が図２に示される。例えば、発光要素２０７は、ＬＥＤであるが、いかなるソリッドステート照明（ＳＳＬ）要素も、本発明の範囲において組み込まれる。加えて、本発明は、従来型光源（ＴＬ、ＨＩＤなど）及び制御可能な発光要素を有するハイブリッド型にも適用可能である。各発光要素制御器２１３は、記憶装置２１４を有し、記憶装置２１４において、発光要素２０７に関するピーク波長、光束、及び温度挙動などの発光要素データが記憶される。発光要素データは、記憶装置２１４に事前記憶されており、ＬＥＤビニング工程(binning)及びＬＥＤ作製データから生成される。加えて、外部データ入力２１５を用いて記憶された発光要素データを更新することも可能であり、記憶装置は、開始時から空であり得、最初に必要とされる場合に発光要素データがロードされ得る。代替的な実施例として、記憶装置２１４から発光要素データを得る代わりに、発光要素制御器２１３は、光源の外部又は光源の内部のいずれかの、別の供給源から直接発光要素データを得る。
【００３０】
光源２０１の有利な点は、本発明に従うと、制御機能が分散されており、光源バス２０９が放送モードで動作するので、光源が容易にスケール変更することが可能であることである。言い換えると、いかなるバスインターフェイス２０３も再プログラムする必要なく、発光要素を追加することが容易であることなどである。以下から明らかになるように、スケーラビリティは、いくつかの光源を有する照明器具又はいくつかの照明器具を有する発光システムなどの、高いレベルにおいてより更に強調される。これにより、発光システムは、有利なモジュール方式になり得る。
【００３１】
光源制御は、以下のように動作する。バスインターフェイス２０３は、発光要素制御器２１３へ、発光要素２０７に関する全体発光設定を通常含む一般コマンドを放送する。各発光要素制御器２１３は、当該発光要素制御器２１３が接続される発光要素２０７に関する特定の駆動信号データを計算する能力を有する。したがって、発光要素が発光要素バス２０９において受け取る一般コマンド及び記憶装置２１４から読まれる発光要素データに基づき、各発光要素制御器２１３は、その後、発光要素制御器２１３が接続される特定の発光要素に関する個別の駆動信号を決定し、駆動信号を発光要素駆動装置２０５へ適用する。その後、発光要素駆動装置２０５は、駆動電流を発光要素２０７へ適宜設定する。より具体的には、好ましくは、当業者に知られる、発光設定を変調された駆動電流へ変換する行列計算が適用され、この変調された駆動電流は、発光要素２０７へ供給される。発光要素２０７を駆動させる方法、すなわちこれらの駆動電流を変調する方法は、駆動電流のＰＷＭ、すなわちパルス幅変調、ＡＭ、ＦＭ、ＰＣＭ等の、いずれかの知られる又は将来の方法であり得る。
【００３２】
バスインターフェイス２０３が「ダム(dumb)」である、すなわち、バスインターフェイス２０３が計算を実行する計算能力を必要としないので、その構造は、かなり簡素にされ得る。更に、バスインターフェイス２０３は、放送モードのみに関して使用され、このことは、バスインターフェイス２０３が、いずのアドレス指定能力も必要としないことを意味する。制御器の「知性」は、各個別の発光要素制御器２１３へ移動されている。しかし、各発光要素制御器２１３は、この発光要素制御器２１３が直接接続される１つの発光要素のみに作用する必要があるだけなので、発光要素制御器２１３に対する性能要求は、従来技術の光源制御器１０３に比較されて、かなり低減される。例えば、バスインターフェイス２０３に関して、バスインターフェイス２０３は、従来技術の光源制御器１０３よりも低い電圧レベルを用いて管理し、例えば、2.5Vの代わりに1.5V供給電圧である。発光要素制御器２１３は、1.5Vも供給され得る。このことは、実用的な実施例の制限的でない例でしかないことを特記されるべきである。更に、従来技術の光源におけるよりもかなり低いバススピード、すなわちクロック周波数が必要であり、ビット単位でのバス幅は低減され得、このことは、電力消費及び構造の複雑性も低減させる。
【００３３】
完全な発光システムは、多くの光源からなり、いくつかのレベルにおいて構築されるものと考えられ得る。光源を特定のレベルとして検討してみる。この場合、より高いレベルにおいて、複数の光源を含む照明器具が存在し、更に高いレベルにおいて、図３及び４に示される複数の照明器具を含む照明器具システムが存在する。この照明器具システムレベルは、通常、部屋レベル又は、ビルディングレベルである。
【００３４】
したがって、図３の照明器具システムの一つの実施例において、照明器具システム３０１は、いくつかの照明器具３０３・３１３へシステムバス３０４を介して接続される部屋制御器又はビル制御器３０２を含む。より具体的には、部屋制御器３０２は、各照明器具３０３・３１３の照明器具制御器３０５・３１５へ接続される。各照明器具制御器３０５・３１５は、そして、照明器具バス３１１・３２１を介して、複数の光源３０７・３１７のバスインターフェイスへ接続される。光源３０７・３１７は、上述と同一の構造を有する。照明器具制御器３０５・３１５は、上述された手法で一般コマンドを取り扱う光源３０７・３１７へ一般コマンドを放送するように構成される。各照明器具制御器３０５・３１５は、そして、部屋制御器３０２から入力データを受け取る。入力データは、いわゆる体験データ、又は体験コマンドと呼ばれる高級抽象形式である。体験の例は、本発明の概略と結びつけて上述されており、更なるものは、「冷たい水」、「ロマンティック」、「パーティ」などである。例えば、Philips社によって発行されたamBIENT  magazineに記載された、Philips社製の既知のamBX（環境体験）プロトコルは、この体験を記述するのに使用可能である。最上レベルにおいて、部屋制御器３０２は、ユーザインターフェイスを有し、照明器具システムのユーザは、このユーザインターフェイスを用いて、利用可能な体験のリストから所望な体験を選択する。代替例として、又は加えて、部屋制御器３０２は、ユーザが個人的な体験を規定する可能性を有するように、プログラム可能である。任意追加的に、ユーザインターフェイスは、無線入力も有する。部屋制御器３０２からの入力を受信すると、各照明器具制御器３０５・３１５は、効果翻訳器３０９・３１９を用いて体験コマンドを効果へ翻訳する。この機能に関して、照明器具制御器３０５・３１５は、事前記憶された翻訳データを自身のメモリに保持する。結果として、照明器具制御器３０５・３１５は、１つの一般コマンド又は一連の一般コマンドを光源３０７・３１７へ送信する。このことは、効果が全体発光設定として実施化され、効果を実行するために、時間的に分離されたいくつかの異なる発光設定が必要とされ得ることを意味する。例えば、体験は、別の体験が部屋制御器３０２によって指令されるまで継続する、異なる色の間における反復的シフトを必要とし得る。
【００３５】
照明器具システム３０１の代替的な実施例において、システムバスは、放送モードの代わりに、アドレス指定モードに設定される。すなわち、部屋制御器３０２は、体験コマンドを１つ以上の選択された照明器具３０５・３１５へ送信するための個別の照明器具アドレスを用いる。
【００３６】
更に、本発明は、図４及び５を参照して、以下において説明されるタグの使用を含む。シンボルタグを用いる照明器具システム４０１において、部屋制御器４０２は、１つのシンボルタグ又は複数のシンボルタグでタグ付けされる体験コマンドを送信する。シンボルタグは、コマンドの限定子(qualifier)として作用する。複数のシンボルタグが単一のコマンドに付随され得る。加えて、システムバス４０４へ接続される複数の照明器具制御器４０５・４１５は、同一のシンボルタグに応答し得る。可能な代替態様は、全ての照明器具制御器４０５・４１５が応答するようにさせる特別なシンボルタグの使用、及び何の照明器具制御器４０５・４１５も応答しないようにさせる特別なシンボルタグの使用でもある。後者の場合は、診断目的に関して有用であり得る。各照明器具制御器４０５・４１５は、シンボルタグを解釈し、そして照明器具制御器４０５・４１５が対応する有効なシンボルタグを有するかを確認することが可能であるシンボルタグインタプリタ(T.I.)４０６・４１６を有する。答えが肯定的である場合、体験コマンドは受け入れられて取り扱われる。照明器具制御器４０５・４１５が、体験コマンドの結果として、１つ以上の一般コマンドを照明器具バス４１１・４２１を介して照明器具４０３・４１３の光源４０７・４１７へ送信する場合、一般コマンドは、同様に、シンボルタグを含む。各光源４０７・４１７のバスインターフェイスは、照明器具制御器４０５・４１５のタグインタプリタと同様な手法で各一般コマンドへ付随されたシンボルタグを解釈するタグインタプリタ４０８・４１８を含む。
【００３７】
タグインタプリタ５０１の実施例は、照明器具制御器記憶装置に記憶される複数の有効なシンボルタグ５０５（A.T.1、A.T.2、...A.T.n）を含む。入来コマンドのシンボルタグは、タグバス５１１におけるタグインタプリタ５０１において受け取られ、ある数の比較要素５０７へ供給され、これらの比較要素５０７は、シンボルタグを保持する又は空であるがこのシンボルタグに関して予約されている各記憶位置に関して１つあり、有効である又は無効であり得る。比較要素５０７は、比較要素５０７と組み合わせて比較器ユニット５０９において含まれるＯＲゲート５１０へ論理的１又は０をそれぞれ出力する。受信されたシンボルタグ及び１つまたは複数の記憶された有効なシンボルタグ５０５の間のいずれかの一致が発生する場合、ＯＲゲート５１０は、使用可能性接続部５１５を介して論理的１をコマンドインタプリタ５０３へ出力し、これにより、コマンドインタプリタ５０３は、使用可能にされ、コマンドバス５１３において受信されたコマンドを解釈する。シンボルタグの使用により、バスは、放送モードに設定され得る一方で、選択的通信はなお達成される。
【００３８】
図６を参照して、応用例として、上述の１つのビルディング／部屋制御器３０２又は４０２が、いくつかの部屋６０５・６０７・６０９を有するビルディング全体の発光システムを制御するためのビルディング制御器６０３として使用されることを仮定する。この場合、各部屋において、副発光システムは、ビルディング制御器６０３へ接続される部屋制御器６０５ａ・６０７ａ・６０９ａと、上述されるように部屋制御器６０５ａ・６０７ａ・６０９ａへそれぞれ接続される少なくとも１つの照明器具６０５ｂ、ｃ；６０７ｂ；６０９ｂ、ｃ、ｄからなる。ビルディング制御器６０３は、システム全体に共通なデータの入力に関して使用され、このデータは、適切である場合、部屋制御器６０５ａ・６０７ａ・６０９ａへ配信される。任意選択的に、個々の部屋データも、ビルディング制御器６０３を介して入力され、その後、関連する部屋制御器６０５ａ・６０７ａ・６０９ａへ配信される。
【００３９】
更に、シンボルタグを用いる実施例が使用され、個人的設定がシステムへとプログラムされていることを仮定する。追加的に、この例において、部屋制御器６０５ａ・６０７ａ・６０９ａの無線、好ましくは無線通信の、入力が活用される。発光システム６０１に記憶される個人データを有する個人が部屋６０５に入ると、無線通信ユニットにおいて保持される彼／彼女の個人証明書（ＩＤ）は、部屋制御器６０５ａの無線入力へ無線で送信される。ＩＤ信号は、部屋発光システム６０１のシンボルタグインタプリタにおいて個人の個人シンボルタグを導入及び有効化をする。その後、ビルディング制御器６０３は、個人シンボルタグが付随された個人発光設定を放送する。個人が現在存在する部屋６０５のみがシンボルタグに一致する。照明器具６０５ａ・６０５ｂなどの照明器具制御器は、光源に、個人発光設定に従い光を発するようにさせる。個人が部屋６０５を離れる場合、彼／彼女の個人シンボルタグは、この特定の部屋の部屋発光システムのシンボルタグインタプリタから除去される。結果として、個人的に好ましい発光設定は、ビルディング制御器６０３などの中央制御器が個人が実際にどこにいるかを知る必要なく、ビルディング全体において個人を追従する。結果として、ＩＤ及び対応するシンボルタグの導入及び除去は、局所的で且つ部屋に拘束される相互作用である。
【００４０】
個人の好ましい発光設定は、例えばロマンティックなどの個人の雰囲気に関して、及び、例えば弱った視力を補償するためのより明るい光など、年齢に関して関連付けられ得、また、例えば、個人が、コンソールでゲームを楽しむ場合に、照明がゲームが発生しているイベント及び環境と直接関連付けられるなどの、活動に関して関連付けられる。
【００４１】
図７を参照すると、照明器具システムにおける発光ネットワーク及び制御器は、制御メッセージに応答するべき照明器具１００・１０２を特定するためのタグに用いる。例えば、部屋における照明器具１００・１０２に関する制御器などの、中央制御器１１０は、１つ以上のシンボルタグ１２４とタグ付けされるメッセージ１２２を送信する。各シンボルタグ１２４は、メッセージ１２２の限定子として作用し、これにより、ネットワーク１２０に接続される各照明器具制御器１３０・１３２が、照明器具制御器１３０・１３２のメモリ１４０・１４２に記憶されるシンボルタグに一致するシンボルタグ１２４を認識するようにされる。シンボルタグ値は、特定の照明器具の位置及び／又は発光能力に対応し得、特定のメッセージ１２２は、これらのタグに一致する部屋における全ての照明器具へ仕向けられ得る。例えば、タグ値は、部屋の北側及び南側、並びに照明器具が可変の白色色温度の光を発し得るかを特定するように割り当てられ得、メッセージは、部屋の北側の色温度を増加するように発行され得る。特定のタグに一致する照明器具は、適宜応答する。
【００４２】
照明器具は、照明器具制御器１３０・１３２が、照明器具バスを介していくつかの発光要素制御器１６０・１６２・１６４・１６６へ接続されるように構成され得る。発光要素制御器１６０・１６２・１６４・１６６は、例えば、色及び強度などの、所望な特性の光を放射するように、光源１８０・１８２・１８４・１８６の出力を制御し得る。発光要素１８０・１８２・１８４・１８６は、例えば、赤色（Ｒ）、緑色（Ｇ）及び青色（Ｂ）などの異なる色であり得る。各発光要素制御器１６０・１６２・１６４・１６６は、対応する発光要素１８０・１８２・１８４・１８６又は一群の発光要素に関する駆動装置１７０・１７２・１７４・１７６へ接続され得る。一般的に、単一の駆動装置１７０・１７２・１７４・１７６及び制御器１６０・１６２・１６４・１６６へ接続される発光要素は、同一の色であり得る。例えば、中央制御器１１０から照明器具制御器１３０へ、又は照明器具制御器１３０から発光要素制御器１６０・１６２・１６４・１６６へなど、より高いレベルの制御器によってより低いレベルの制御器へ発行されるコマンドは、照明器具のユーザが、例えば、柔らかい夕方の光、夜の暗さ、明るい活動光、「冷たい水」、「ロマンティック」、及び「パーティ」などの、光源からの出力の結果として体験することを望んでいるかなり高いレベルの「体験」の記述であり得る。より低いレベルの制御器は、この高いレベルの記述的コマンドを、発光要素１８０・１８４・１８６を駆動させるレベルのコマンドへ翻訳し得る。
【００４３】
中央制御器１１０は、部屋又はビルディングにおける使用に関する適切なタグ及びコマンドを規定することをユーザに許可し、そしてタグが特定の照明器具１００・１０２へ割り当てられるのを許可する入力及び出力能力を有するマイクロプロセッサであり得る。
【００４４】
発光ネットワーク１２０は、例えば、RS-232、RS-422、RS-485、X10、DALI、又は欧州特許書類第0482680号"Programmable  illumination  system"に記載されるMCS100バス構造、若しくは、DMX-512（「United  States  Institute  for  Theater  Technology,  Inc.  DMX512/1990  Digital  Data  Transmission  Standard  for  Dimmers  and  Controllers」を参照のこと）などの、いかなる従来型の、又は特定用途向けのバス構造でもあり得る。ローカルエリアネットワーク又は同様の数十〜数百メータ通信に関して通常使用される物理層の実装が通常好ましくあり得る。前記欧州特許書類第'680号及び上述の様々な既知のプロトコルに関する仕様書が本文書において組み込まれ得る。
【００４５】
システムバス１２０におけるメッセージ１２２は、放送モードで送信され得、これにより、中央制御器１１０からのメッセージが、全ての照明器具制御器１３０・１３２へ利用可能になるようにされる。
【００４６】
メッセージ１２２に関する形式は、所望な最終結果を達成するいかなる形式でもあり得る。特定の場合において、メッセージ１２２は、DMX-512パケットで包まれ得る。他の場合において、特定用途パケット形式が、パケットヘッダ、一群のタグ１２４、及び１つ又は複数のコマンド値１２６を用いて規定され得る。
【００４７】
タグ値１２４は、例えば、タグが特定の照明器具の能力に関連する、又は個々のユーザによって規定され得る場合、及び、例えば、タグが照明器具の導入位置に関連する場合、発光システムのコンポーネントの製造者によって提供され得る。
【００４８】
請求項８に記載の光源のある実施例に従うと、各発光要素制御器は、発光要素の状態が変化する場合に、関連付けられるシンボルタグを再規定することが可能である。
【００４９】
タグ付けされるメッセージ形式は発光ネットワークの容易なスケーラビリティを可能にするが、その理由は、タグ付メッセージ形式が、制御機能をコンポーネントを通じて配信されることを可能にし得、そして、システムバス１２０を放送モードで動作させることを可能にし得るからである。スケーラビリティが生じ得る理由は、いかなる中央制御器も再プログラムする必要なく発光要素を容易に追加し得るからである。スケーラビリティは、いくつかの光源を有する照明器具又はいくつかの照明器具を有する発光システムなどの、より低い又はより高いネットワークレベルの両方で向上され得る。
【００５０】
コマンド値の形式１２６は、絶対値端点又はインクリメントのいずれかであり得る。例えば、「プリセット条件Ａに戻る」、「プリセット条件Ｂに戻る」、「より明るくする」、「より暗くする」、「より赤く」、「より青に」、「一層の飽和」、「より少ない飽和」、「標準設定の白色へ戻る」などである。他のコマンド値１２６は、上述の体験に関し得る。例えば、Philips社の既知のamBXプロトコルは、このような体験を記述するのに利用可能である。他のコマンド値１２６は、減光、フラッシュ、特定の色の放射などの、光源の設定に関し得る。
【００５１】
各照明器具制御器１３０・１３２は、バス120におけるメッセージ１２２のタグ１２４を傍受し、照明器具１００・１０２が応答するべきかを確認するために検証する。例えば、照明器具制御器１３０・１３２は、照明器具１００・１０２が応答するべきタグを記憶するタグ記憶装置１４０・１４２を有し得る。タグが一致する場合、メッセージ１２２は受け入れられて取り扱われる。
【００５２】
図８を参照すると、照明器具制御器１３０のタグ検出器は、タグ記憶装置１４０に記憶される複数の有効なシンボルタグA.T.1、A.T.2、...A.T.nを含み得る。入来メッセージ１２２のシンボルタグ１２４は、照明器具制御器１３０よって受け取られ、比較器５０７へ供給され、これらの比較器５０７は、タグ記憶装置１４０における各記憶位置に関して１つあり、有効である又は無効であり得る。代替的には、照明器具制御器１３０のソフトウェアは、受信されたシンボルタグ１２４と各タグを比較するためにタグ記憶装置１２０を順次巡回し得る。比較器５０７は、それぞれＯＲゲート５１０へ論理的１又は０を出力する。受信されたシンボルタグ１２４のいずれかがタグ記憶装置１４０におけるタグと一致する場合、ＯＲゲート５１０は、論理的１をメッセージインタプリタ５０３へ出力し、これにより、メッセージインタプリタ５０３は、使用可能にされ、メッセージ１２２から受信されたコマンド１２６を解釈する。バスが全てのメッセージを放送するものの、シンボルタグの使用は、メッセージ１２２及びこのメッセージを構成するコマンド１２６が、選択的に受信されるのを可能にする。
【００５３】
図７を再び参照すると、メッセージ１２２におけるタグ値１２４に依存して、メッセージは、照明器具のどれによって作用されない、全てによって作用される、又はその間の数によって作用され得る。特定の場合において、特別なシンボルタグは、全ての照明器具制御器１３０・１３２が、応答するべきであるように特定し、別の特別なシンボルタグ値は、何の照明器具制御器１３０・１３２も応答しないべきであるように特定する。後者は、診断目的に関して有用であり得る。
【００５４】
特定の場合、照明器具制御器１３０・１３２は、その機能が制御器の照明器具１００・１０２によって応答されるべきであるメッセージ１２２を特定し、このメッセージを発光要素制御器１６０・１６２・１６４・１６６が完全に解釈して実行するようにこれらの発光要素制御器１６０・１６２・１６４・１６６へ渡すことのみであるような「ダム(dumb)」制御器であり得る。この場合、照明器具制御器１３０・１３２は、発光要素１８０・１８２・１８４・１８６の発光出力を調整することに関して、又は特定の発光要素１８０・１８２・１８４・１８６に関するレベルを決定することに関して、少しの又は何の責任も持たず、むしろこの計算は、発光要素制御器１６０・１６２・１６４・１６６へ押し付けられる。
【００５５】
他の場合において、照明器具制御器１３０・１３２は、「スマート」であり得える。例えば、照明器具制御器１３０は、メッセージ１２２を解釈し、これらを発光要素１８０・１８２・１８４に関する絶対値発光レベルへレンダリングすることに関して責任を持ち得る。
【００５６】
照明器具バス１５０・１５２は、目的に適したいずれかのバス構造であり得る。例えば、Pharesらによる米国特許第5,420,482号、"Controlled  Lighting  System"の図７における多重化データラインは、様々な制御器を相互接続するのに使用される伝導体の数を低減させるのに有益であり得る。Pharesの'482特許の安価なバス構造は、アーチファクトを導入し得るが、これらは、通常の発光応用例において無害であり得る。他のバス構造は、異なる複数のトレードオフを有し得、等しく適し得る。
【００５７】
完全な発光システムは、多くの光源を有し得、いくつかのレベルにおいて構築されるものと考えられ得る。照明器具制御器１３０とその発光要素制御器１６０・１６２・１６４との間の関係は、中央制御器１１０と照明器具制御器１３０との間の関係と相似であると考えられ得る。同様に、ビルディング全体は、特定の部屋に関する制御器を命令する制御器を有し得る。この相似性は、同様な技術が、様々なレベルで用いられることを可能にし得る。
【００５８】
多レベル相似性が用いられる状況において、照明器具バス１５０・１５２におけるメッセージは、絶対値発光レベルよりも高いレベルの「概念」のみに方向付けられるシステムバス１２０におけるメッセージに類似し得る。このことは、照明器具制御器１３０・１３２が「ダム」であり、計算の責任が発光要素制御器１６０・１６２・１６４・１６６へ委譲される場合であり得る。これらの場合、照明器具制御器１３０・１３２からのメッセージは、照明器具バス１５０・１５２において同時に全ての発光要素制御器１６０・１６２・１６４・１６６へ放送され得る。特定の場合において、照明器具バス１５０・１５２におけるメッセージは、メッセージ１２２と同様な手法でタグ付けされ得、個々の発光要素制御器１６０・１６２・１６４・１６６は、タグに基づきメッセージに応答するように、タグ比較器を有し得る。
【００５９】
他の場合において、照明器具バス１５０・１５２におけるメッセージは、他の種類のメッセージ、例えば、米国特許第5,420,482号などにおいて説明される、発光要素１８０・１８２・１８４・１８６によって出力されるべき絶対値発光レベルなど、を担持し得る。
【００６０】
特定の場合において、特定の機能の照明器具へ仕向けられる一般コマンドの形式で発光コマンドを送信することは、システムバス１２０及び照明器具バス１５０・１５２において送信されるデータの量を低減し得る。
【００６１】
発光要素制御器１６０・１６２・１６４・１６６は、照明器具制御器１３０・１３２によって放送されたメッセージを受け取り得る。これらの放送メッセージは、発光要素１８０・１８２・１８４・１８６に対して、通常変更を示唆する、又は、明示的に色設定を指定する一般コマンドであり得る。各発光要素制御器１６０・１６２・１６４・１６６は、その後、対応する発光要素１８０・１８２・１８４・１８６に対して特定の駆動信号データを計算し得る。これにより、発光要素制御器１６０・１６２・１６４・１６６が照明器具バス１５０・１５２において受け取る一般コマンドに基づき、各発光要素制御器１６０・１６２・１６４・１６６は、その後、各発光要素制御器が接続される特定の発光要素に関する個別の駆動信号を決定し、駆動信号を対応する発光要素駆動装置１７０・１７２・１７４・１７６へ印加し得る。発光要素駆動装置１７０・１７２・１７４・１７６は、その後、電流を適宜対応する発光要素１８０・１８２・１８４・１８６へ供給する。
【００６２】
各発光要素制御器１６０・１６２・１６４・１６６は、対応する発光要素１８０・１８２・１８４・１８６に関する、ピーク波長、光束、及び温度挙動などの較正データが記憶される記憶装置を有し得る。例えば、ＬＥＤの使用時間及び損失輝度などの、較正データは、ＬＥＤビニング工程(binning)及びＬＥＤ作製データに基づき記憶装置２１４に記憶され得る、又は、例えば、ユーザによって設定され得る。発光要素制御器１６０・１６２・１６４・１６６によって計算される駆動信号は、これらの較正データに基づき調整され得る。
【００６３】
特定の場合において、照明器具１００は、光レベルを検出するセンサを有し得る、又は部屋のセンサから光レベルを受け取り得る。このようなセンサからのデータは、所望の出力が実際に得られることを補償するためにフィードバックとして駆動信号の計算において使用され得る。
【００６４】
計算の責任を非中央集中化させることによって、照明器具制御器１３０・１３２は、各発光要素に関して個別の駆動信号を計算する必要から軽減され得る。更に、各個別の発光要素制御器１６０・１６２・１６４・１６６は、制御器が直接接続される単一の発光要素又は駆動装置に関する値を計算する必要があるのみであり得、発光要素制御器に関する性能要求を低減し得る。結果として、照明器具制御器１３０・１３２及び発光要素制御器１６０・１６２・１６４・１６６は、より低い周波数で及びより低い電圧で動作し得る。更に、個々の制御器は、例えば、１つ又は複数の色が使用されていない場合などにいつでもスイッチオフにされ得る。最後に、明示的なアドレスを用いて各制御器へ個別のメッセージを送信する必要があることよりむしろ、タグ限定子を用いて全ての制御器へ放送モードでメッセージを送信することは、伝送されるメッセージの数を低減し、バススピード及び駆動要件を低減し、そして、アドレス指定に含まれるオーバーヘッドを低減し、それにより、制御器に関する所要なクロック周波数を低減し得る。制御器の数は増加され得るものの、クロック周波数、電圧及び電源オン時間における低減は、全体電力消費が低減され得るのを可能にし得る。
【００６５】
特定の場合において、メッセージは、放送モードの代わりに、特定の制御器のアドレス指定を使用するモードで送信され得る。このような場合、メッセージは、上述される「体験」又は他のレベルのないコマンドであり得る。
【００６６】
駆動装置１７０・１７２・１７４・１７６は、電圧及び／又は電流出力が発光要素制御器１６０・１６２・１６４・１６６からの入力駆動信号により変化するデジタル／アナログ変換器、パルス幅変調（ＰＷＭ）、ビット角変調、及び周波数変調電流レギュレーションなどの、いずれかの利便性のある方法を用いて電流を発光要素１８０・１８２・１８４・１８６へ供給及びレギュレートし得る。
【００６７】
発光要素１８０・１８２・１８４・１８６は、例えば、ＬＥＤ、白熱灯、蛍光灯、ハロゲンランプなどの、いかなる種類の発光要素でもあり得る。特定の場合において、例えば、複数の要素が、単一の駆動装置によって駆動され得、その理由は、青色のＬＥＤは現在緑色ＬＥＤより効率的でなく、緑色ＬＥＤは赤色ＬＥＤより効率的でなく、照明器具１００は、好ましいホワイトバランスを得るために、２つの赤色ＬＥＤ、４つの緑色ＬＥＤ、及び６つの青色ＬＥＤを含み得るからである。
【００６８】
システムのプログラミングは、中央制御器１１０へのユーザインターフェイスを介して実施され得る。照明器具システムのユーザは、利用可能な体験のリストから所望な体験を選択し得る。代替例として、又は加えて、部屋制御器は、ユーザが個人的な体験を規定するように、プログラム可能であり得る。中央制御器１１０から入力を受け取ると、照明器具制御器１３０・１３２におけるソフトウェアは、体験コマンドをより低いレベルの効果すなわち発光データへ翻訳し得、元の体験コマンド、効果、又は発光データを、発光要素制御器１６０・１６２・１６４・１６６へ送信する。特定の効果は、色設定として、又は経時的ないくつかの異なる色設定として実施され得る。例えば、体験は、別の体験が中央制御器１１０によって指令されるまで継続する、異なる色の間における反復的シフトを必要とし得る。本発明の範囲において、多くの修正態様及び代替態様が可能である。
【００６９】
要約すると、発光コマンドメッセージを受け取るように設計されるコマンド受信回路、発光システムに関する制御器が開示されており、メッセージの形式は、タグ値及び命令値を含み、タグ値は、メッセージが仕向けられる発光装置の物理的属性を特定し、命令値は、メッセージが仕向けられる発光装置によって取られる動作を特定する。コマンド受信回路は、メッセージのタグ値が発光装置に対応するようなメッセージを検出するように設計されるタグ比較回路を有する。このコマンド受信回路は、そのメッセージのタグ値が発光装置に対応するメッセージを検出するように設計されるタグ比較回路を有する。発光装置制御回路は、検出される対応するタグ値を有するメッセージの命令値を受け入れ、これに応答して、発光装置の発光要素を制御する命令値を出力するように設計される。
【００７０】
この制御器は、発光コマンドメッセージを受け取るように設計されるコマンド受信回路を更に含み得、このメッセージの形式は、メッセージが仕向けられる照明装置によって誘導されるべき人間の感情的体験を特定する命令値を含む。発光装置制御回路は、検出される対応するタグ値を有するメッセージの命令値を受け取り、これに応答して、発光装置の発光要素を制御する特定のレベル値を出力するように設計される。
【００７１】
更に、制御回路は、発光要素に関連する較正データを記憶するように設計される発光要素データ記憶装置を含み得、記憶回路は、発光要素に関連する較正データを記憶するように設計され、発光要素制御回路は、更に、較正データに基づき発光要素駆動信号を生成するように更に設計され得る。
【００７２】
ここで、シンボルタグの特定の更なる一般記述が以下に続く。シンボルタグは、特定のイベントの結果として伝達される。シンボルタグは、ある発光設定を別の発光設定へフェードさせるなどの直列的な、すなわち連続的な変化を、発光要素の個別の制御器を除いた全てのユニットに対する最小計算電力要件を用いて、行うことに関して最も有用である。使用され得るシンボルタグの特定の更なる例は、白色相関化色温度、最大ルーメン出力、色の段階的な調整、減光、照明器具の経年、高速又は低速動的発光能力、部屋における照明位置及び光源の種類などを表わす又は生じさせるシンボルタグである。例えば、ディップスイッチなどの手動の物理スイッチからソフトウェア作動の機能まで、シンボルタグを有効化及び無効化させる広範囲の可能な手法が存在する。
【００７３】
これまでに、添付の請求項に記載される本発明に従う光源、このような光源を用いる照明器具及び照明器具システムの実施例は説明されてきた。これらは、単に非制限的な例として見なされるべきである。当業者によって理解されるように、本発明の範囲において、多くの修正態様及び代替態様が可能である。
【００７４】
例えば、各光源は、所望な出力が実際に得られることを保証するために、発光要素に関して、当業者に知られるような、フィードバック制御を具備され得ることを理解されるべきである。しかし、このことは、本発明の核心となる部分ではないので、このようなフィードバック制御は詳細には本文書において説明されない。
【００７５】
上述の実施例を用いて説明されてきたように、発光要素駆動信号を設定するための最終的な計算を個々の発光要素に可能な限り近傍で行わせるために、光源の制御器を非中央集中化させることが有利である。この応用例の目的に関して、及び、添付の請求項に関して、当業者にとって本質的に明らかであるように、「有する・含む」という用語は、他の要素又はステップの存在を排除せず、そして、単数形の構成要素は、複数個の斯様な構成要素の存在を排除しないことを特記されるべきである。
【図１】
0005611596.tif 000002
【図２】
0005611596.tif 000003
【図３】
0005611596.tif 000004
【図４】
0005611596.tif 000005
【図５】
0005611596.tif 000006
【図６】
0005611596.tif 000007
【図７】
0005611596.tif 000008
【図８】
0005611596.tif 000009